(57)【要約】【課題】２画面表示など複数の映像を表示した状態において、副画面の映像が特定シーン（ハイライトや番組開始など）にあることをユーザに通知する機能を備えた映像表示装置を提供すること。【解決手段】主画面と副画面を並置または重畳することにより同時に複数の映像を表示可能な映像表示装置であって、副画面の映像の特定シーンを検出するシーン検出部と、前記シーン検出部からの検出結果に応じて副画面の映像が特定シーンにあることをユーザに認識させる通知手段を具備し、前記シーン検出部は、副画面の映像に付随する音声の特性に基づいて特定シーンを検出する、あるいは副画面の映像に付随するメタデータの情報に基づいて特定シーンを検出する。前記通知手段は、シーン検出部が特定シーンを検出したとき図形または文字をオンスクリーン表示して通知する、あるいは副画面の画面サイズを拡大して通知する、あるいは効果音を生じて通知する。【選択図】図１
2006352208.tif 000002
【特許請求の範囲】
【請求項１】
主画面と副画面を並置または重畳することにより、同時に複数の映像を表示可能な映像表示装置であって、副画面の映像の特定シーンを検出するシーン検出部と、前記シーン検出部からの検出結果に応じて副画面の映像が特定シーンにあることをユーザに認識させる通知手段を具備したことを特徴とする映像表示装置。
【請求項２】
前記シーン検出部は、副画面の映像に付随する音声の特性に基づいて特定シーンを検出することを特徴とする請求項１記載の映像表示装置。
【請求項３】
前記シーン検出部は、副画面の映像に付随するメタデータの情報に基づいて特定シーンを検出することを特徴とする請求項１記載の映像表示装置。
【請求項４】
前記通知手段は、前記シーン検出部が特定シーンを検出したとき、図形または文字をオンスクリーン表示して通知することを特徴とする請求項１記載の映像表示装置。
【請求項５】
前記通知手段は、前記シーン検出部が特定シーンを検出したとき、副画面の画面サイズを拡大して通知することを特徴とする請求項１記載の映像表示装置。
【請求項６】
前記通知手段は、前記シーン検出部が特定シーンを検出したとき、効果音を生じて通知することを特徴とする請求項１記載の映像表示装置。
【発明の詳細な説明】
【技術分野】
【０００１】
本発明は、複数の映像を同時に画面表示可能な映像表示装置に関するものである。
【背景技術】
【０００２】
近年、複数チューナを内蔵したテレビジョン受像機など、同時に２種類の映像を画面表示することが可能な映像表示装置が開発されている。これらでは、主画面と副画面を左右に並置する（２画面表示：図３ａ）、あるいは主画面の一部に副画面を重畳する（ピクチャ・イン・ピクチャ表示：図３ｂ）といった表示形式が取られる。また、この状態からいずれかの１画面表示に変更したり、主画面・副画面を入れ換えることも可能である。
【０００３】
上記の表示形式では一般的に、副画面のサイズが主画面に比べて小さく、また音声は主画面の映像に対するもののみ出力される。このため、ユーザは主画面に集中して視聴している状態では副画面の映像を把握できず、期待したシーンを見逃すことが多い。
【０００４】
例えば、副画面にスポーツ中継番組を映しながら主画面でニュース番組、といった２画面表示の際、主画面を観ていると副画面のハイライト（得点シーンや注目選手の出番など）に気付かず、肝心なシーンを見逃してしまう。あるいは、観たい番組が始まるチャンネルを一旦副画面にし、始まるまで主画面で他の番組を観ていた場合、前者の番組開始に気付かず冒頭を見逃すことがある。
【０００５】
このような事情に対処するため、特開平８−９８１０２号公報には、副画面の音声を主画面の音声と異なるスピーカから出力するようにした例が記載されている。しかしながら、この例では確かに副画面のシーン把握は可能なものの、主画面・副画面の音声が混同して聴こえるため、何れの番組も快適に視聴することはできない。
【特許文献１】特開平８−９８１０２号公報
【発明の開示】
【発明が解決しようとする課題】
【０００６】
そこで本発明は上記の問題を鑑み、２画面表示など複数の映像を画面表示した状態において、副画面の映像が特定シーン（ハイライトや番組開始など）にあることをユーザに通知する機能を備えた映像表示装置を提供することを目的とするものである。
【課題を解決するための手段】
【０００７】
本発明は、主画面と副画面を並置または重畳することにより同時に複数の映像を表示可能な映像表示装置であって、副画面の映像の特定シーンを検出するシーン検出部と、前記シーン検出部からの検出結果に応じて副画面の映像が特定シーンにあることをユーザに認識させる通知手段を具備したことを特徴とするものである。
【発明の効果】
【０００８】
本発明によれば、２画面表示など複数の映像を視聴している状態で、副画面においてユーザが期待する特定シーン（ハイライトや番組開始など）を容易に察知し、見逃すことなく視聴できる。
【発明を実施するための最良の形態】
【０００９】
（実施例１）
図１は、本発明による映像表示装置の１実施形態の構成を示したブロック図である。以下、この図を参照し本発明の実施形態を説明する。なお本実施例における副画面の特定シーンとしては、スポーツ中継番組のハイライトシーンを想定する。
【００１０】
図１において１１、１２はチューナ部であり、それぞれ主画面、副画面のチャンネルの受信信号を復調しトランスポートストリーム（ＴＳ）をストリーム制御部２１へ供給する。ストリーム制御部２１はＴＳの制御およびパーシング処理を行い、主画面の映像・音声・メタデータ、副画面の映像・音声・メタデータなどのストリームを抽出する。
【００１１】
主映像デコード部３１は、ストリーム制御部２１から供給される主画面の映像ストリームのデコード処理を行う。主映像リサイズ部４１は、２画面合成を行う場合に、デコードされた主画面の映像を合成用のサイズに縮小する。副映像デコード部３２は、ストリーム制御部２１から供給される副画面の映像ストリームのデコード処理を行う。副映像リサイズ部４２は、デコードされた副画面の映像を２画面合成用のサイズに縮小する。２画面合成部５１は、２画面合成を行う場合に、リサイズされた主画面と副画面の映像を並置した画面を生成する。
【００１２】
副音声デコード部８１は、ストリーム制御部２１から供給される副画面の音声ストリームのデコード処理を行う。副画面シーン検出部１０１は、デコードされた副画面の音声特性に基づいて特定シーンを検出し、検出情報をＯＳＤ合成部６１に送る。ここでは、音声の出力レベルを解析し、所定レベル以上の出力が所定期間継続した場合にシーン検出とする。すなわち観客の大歓声やアナウンサの大声を検知しハイライトシーンと判断する。
ＯＳＤ合成部６１は、副画面シーン検出部１０１からの検出情報を受け、副画面がハイライトシーンにある場合は、それをユーザに通知するオンスクリーン表示（ＯＳＤ）を２画面合成された画面に重畳する。ＯＳＤ重畳による通知の例を図４に示す。
【００１３】
映像出力部７１は、ＯＳＤ合成部６１を経て得られた映像の出力処理を行い、ディスプレイに画面表示させる。
【００１４】
上記の構成により、副画面がハイライトシーンにある場合にＯＳＤ通知がなされ、ユーザはハイライトシーンを見逃すことはない。なお、シーン検出については音声の出力レベルに依る例を用いているが、周波数特性を併用しても良い。あるいは、ハイライトシーンに関する情報がメタデータ（データ放送）に含まれているならば、下記の実施例２に示す形態を取り、音声特性の代りにメタデータを参照しても良い。
【００１５】
また、ＯＳＤ通知に併せて、副画面がハイライトシーンにあることを知らせる効果音を音声出力しても良い。さらにＯＳＤ通知された状態に連動して、ユーザのリモコン操作などにより、副画面であったチャンネルを１画面表示にしたり、主画面・副画面を入れ換えたり出来るようにしても良い。
【００１６】
加えて、本実施例では主画面と副画面のストリームは何れもチューナ部から供給されるものとしているが、これをハードディスクや記録メディアから供給されるよう置き換えても良い。
【００１７】
（実施例２）
図２は、本発明による映像表示装置の１実施形態の構成を示したブロック図である。以下、この図を参照し本発明の実施形態を説明する。なお本実施例における副画面の特定シーンとしては、番組の開始あるいはコマーシャル放送（ＣＭ）明けを想定する。また、映像のコンテンツ情報がシーンレベルでメタデータに記述されており、取得可能であるものとする。
【００１８】
図２において１１、１２はチューナ部、２１はストリーム制御部、３１は主映像デコード部、３２は副映像デコード部であり、それぞれ上記実施例１と同様の機能を有する。
副画面データ処理部９１は、ストリーム制御部２１から供給される副画面のメタデータ（データ放送）ストリームのデコード処理を行う。
【００１９】
副画面シーン検出部１０１は、デコードされた副画面のメタデータに基づいて特定シーンを検出し、検出情報を主映像リサイズ部４１および副映像リサイズ部４２に送る。ここでは、メタデータを解析し、番組開始に関する記述を検知する。
【００２０】
主映像リサイズ部４１は、２画面合成を行う場合に、デコードされた主画面の映像を合成用のサイズに縮小する。さらに副画面シーン検出部１０１からの検出情報を受け、副画面が番組開始にあたる場合は、通常の合成時に比べ画面サイズを小さくする。副映像リサイズ部４２は、デコードされた副画面の映像を２画面合成用のサイズに縮小する。さらに副画面シーン検出部１０１からの検出情報を受け、副画面が番組開始にあたる場合は、通常の合成時に比べ画面サイズを大きくする。
【００２１】
５１は２画面合成部、７１は映像出力部であり、上記実施例１と同様の機能を有する。
上記の構成により、副画面が番組開始の際に拡大表示されるため、ユーザはそれに気付き番組の冒頭を見逃すことはない。
【産業上の利用可能性】
【００２２】
以上のように本発明は、２画面表示などにおける複数映像の同時視聴を支援し、その利便性を向上させることから、２画面放送機能を有したテレビジョン受像機などへの組込みが期待できる。
【図面の簡単な説明】
【００２３】
【図１】本発明の実施例１の構成を示したブロック図
【図２】本発明の実施例２の構成を示したブロック図
【図３】複数画面表示の例を示した説明図
【図４】ＯＳＤによる通知の例を示した説明図
【図５】副画面拡大による通知の例を示した説明図
【符号の説明】
【００２４】
１１、１２    チューナ
２１    ストリーム制御手段
３１    主映像デコード手段
３２    副映像デコード手段
４１    主映像リサイズ手段
４２    副映像リサイズ手段
５１    ２画面合成手段
６１    ＯＳＤ合成手段
８１    副音声デコード手段
１０１    副音声シーン検出手段
【図１】
2006352208.tif 000003
【図２】
2006352208.tif 000004
【図３】
2006352208.tif 000005
【図４】
2006352208.tif 000006
【図５】
2006352208.tif 000007